(57)【特許請求の範囲】
【請求項１】
洋風便器本体の背後に設けられ、カバーに隠蔽されて該洋風便器本体に種々の機能を付与可能な機能手段と、該機能手段を遠隔操作可能なリモコンと、該リモコンからの光信号を受信するリモコン受光部を有するセンサユニットとを備え、該センサユニットが該カバーに貫設されたリモコン窓に該リモコン受光部を露出している便座装置において、
前記カバーは、前記洋風便器本体の使用者を検知して前記機能手段を作動させるための人体検知センサを前記センサユニットが有するか否かにかかわらず共通し、選択により該人体検知センサを有する該センサユニットを備える場合には、該人体検知センサを露出可能な人体検知窓を前記リモコン窓に隣接して形成可能であって、
該カバーは、該センサユニットを固定する主カバーと、該主カバーと一体的に固定可能であり、該リモコン窓が形成されているとともに、該人体検知窓が形成可能な副カバーとからなり、
該センサユニットは、光信号を透過可能な透明板と、該透明板の裏面に固定されたリモコン受光部と、該透明板の裏面で選択により該リモコン受光部に隣接して固定される人体検知センサとを有していることを特徴とする便座装置。
【請求項２】
カバーは人体検知窓を簡易加工で形成可能になっていることを特徴とする請求項１記載の便座装置。
【発明の詳細な説明】
【０００１】
【発明の属する技術分野】
本発明は便座装置に関する。
【０００２】
【従来の技術】
従来、図７に示すように、陶磁器製の洋風便器本体９０の背後に設けられ、洋風便器本体９０に種々の機能を付与可能な図示しない機能手段を備えた便座装置９１が知られている。機能手段としては、洋風便器本体９０上で便座９０ａや便蓋９０ｂを自動的に開閉させる自動開閉装置、便座９０ａ上に着座した使用者の局部を洗浄可能な局部洗浄装置、洋風便器本体９０の便鉢内を脱臭する脱臭装置、便座９０ａを保温する便座保温装置等がある。これら機能手段はカバー９１ａによって隠蔽されている。
【０００３】
また、この便座装置９１は、上記機能手段を遠隔操作可能なリモコン９３と、図８に示すように、センサユニット９２とを備えている。センサユニット９２は、図９に示すように、リモコン９３からの光信号を透過可能な透明板９２ｂと、透明板９２ｂの裏面に固定され、光信号を受信するリモコン受光部９２ａとを有している。なお、透明板９２ｂの裏面には、便座装置に電源が入っているか否か等を表示するためのＬＥＤ９２ｄがリモコン受光部９２ａに隣接して設けられている。図８及び図９に示すように、カバー９１ａにはリモコン窓９１ｂが貫設されており、センサユニット９２のリモコン受光部９２ａ及びＬＥＤ９２ｄは透明板９２ｂを介してこのリモコン窓９１ｂによって露出されている。
【０００４】
便座装置９１を購入したり、設置したりする者の選択により、センサユニット９２が洋風便器本体９０の使用者を検知して機能手段を作動させるための人体検知センサ９２ｃを有する場合もある。この場合、センサユニット９２は、透明板９２ｂと、リモコン受光部９２ａと、ＬＥＤ９２ｄと、透明板９２ｂの裏面で選択によりリモコン受光部９２ａに隣接して固定される人体検知センサ９２ｃとを有している。カバー９１ａには、その人体検知センサ９２ｃを透明板９２ｂを介して露出する人体検知窓９１ｃがリモコン窓９１ｂに連続して貫設されている。
【０００５】
この便座装置９１では、使用者がリモコン９３を操作すれば、リモコン９３からの光信号がセンサユニット９２のリモコン受光部９２ａに受信され、局部洗浄装置等が遠隔操作される。また、使用者がリモコン９３を操作しなくても、使用者が洋風便器本体９０前に立てば、人体検知センサ９２ｃがその使用者を検知し、自動開閉装置や脱臭装置等が遠隔操作される。
【０００６】
【発明が解決しようとする課題】
しかし、上記従来の便座装置では、センサユニットが人体検知センサを有するか否かにかかわらず、カバーにリモコン窓と人体検知窓とが連続して貫設されていた。このため、センサユニットが人体検知センサを有しない場合であっても、カバーにリモコン窓及び人体検知窓からなる大きな窓が形成され、その窓からセンサユニットの透明板が大きく視認されることとなっていた。
【０００７】
このため、このような便座装置では、センサユニットが人体検知センサを有しない場合であっても、恰もセンサユニットが人体検知センサを有するように勘違いされやすい。この点、人体検知センサを露出させるカバーと、人体検知センサを露出させないカバーとを用意し、センサユニットが人体検知センサを有する場合には人体検知センサを露出させるカバーを組付け、センサユニットが人体検知センサを有しない場合には人体検知センサを露出させないカバーを組付けるようにすることも考えられる。こうすれば、人体検知センサの有無が外観に現れるため、上記のような勘違いを防止することができる。しかしながら、こうして２種類のカバーを用意するとすれば、部品点数が増大し、製造コストが高騰することとなる。
【０００８】
また、こうして常にセンサユニットの透明板が大きく視認される便座装置では、見栄えも悪い。
【０００９】
本発明は、上記従来の実情に鑑みてなされたものであって、製造コストの高騰化を生じることなく使用者の勘違いを防止することができるとともに、優れた見栄えを呈することのできる便座装置を提供することを解決すべき課題としている。
【００１０】
【課題を解決するための手段】
本発明の便座装置は、洋風便器本体の背後に設けられ、カバーに隠蔽されて該洋風便器本体に種々の機能を付与可能な機能手段と、該機能手段を遠隔操作可能なリモコンと、該リモコンからの光信号を受信するリモコン受光部を有するセンサユニットとを備え、該センサユニットが該カバーに貫設されたリモコン窓に該リモコン受光部を露出している便座装置において、
【００１１】
前記カバーは、前記洋風便器本体の使用者を検知して前記機能手段を作動させるための人体検知センサを前記センサユニットが有するか否かにかかわらず共通し、選択により該人体検知センサを有する該センサユニットを備える場合には、該人体検知センサを露出可能な人体検知窓を前記リモコン窓に隣接して形成可能であって、
該カバーは、該センサユニットを固定する主カバーと、該主カバーと一体的に固定可能であり、該リモコン窓が形成されているとともに、該人体検知窓が形成可能な副カバーとからなり、
該センサユニットは、光信号を透過可能な透明板と、該透明板の裏面に固定されたリモコン受光部と、該透明板の裏面で選択により該リモコン受光部に隣接して固定される人体検知センサとを有していることを特徴とする。
【００１２】
本発明の便座装置では、購入者等が人体検知センサを選択する場合、人体検知センサは、洋風便器本体前に存在し得る人に向かって光信号を発信する人体検知発光部と、その人から反射する光信号を受信する人体検知受光部とからなり得る。これら人体検知発光部及び人体検知受光部は制御装置に接続される。この場合、センサユニットには、リモコン受光部、人体検知発光部及び人体検知受光部が備えられる。そして、カバーには、リモコン受光部を露出するリモコン窓と人体検知センサの人体検知発光部及び人体検知受光部を露出する人体検知窓とが隣接して形成されることとなる。
【００１３】
これに対し、購入者等が人体検知センサを選択しない場合、センサユニットには、リモコン受光部だけが備えられる。そして、カバーには、リモコン受光部を露出するリモコン窓だけが形成されることとなる。
【００１４】
こうして、使用者は、リモコン窓と人体検知窓とが隣接して形成されたカバーと、リモコン窓だけが形成されたカバーとの違いを把握できるため、人体検知センサの有無を一目で判断することができ、人体検知センサが有るか否かの勘違いを起し難い。
【００１５】
また、本発明の便座装置では、人体検知センサが有る場合のカバーと人体検知センサが無い場合のカバーとが共通化された同じものであり、購入者等が人体検知センサを選択する場合にだけ、リモコン窓に人体検知窓を形成することとなる。このため、２種類のカバーを用意する必要がなく、部品点数が増加せず、製造コストの低減を維持することができる。
【００１６】
さらに、購入者等が人体検知センサを選択する場合、カバーにはリモコン窓及び人体検知窓から成る大きな窓が形成され、購入者等が人体検知センサを選択しない場合、カバーにはリモコン窓から成る小さな窓が形成される。こうして、購入者等が人体検知センサを選択するか否かに応じて、必要最小限の窓だけがカバーに形成されることとなるため、この便座装置は優れた見栄えを呈することとなる。
【００１７】
したがって、本発明の便座装置では、製造コストの高騰化を生じることなく使用者の勘違いを防止することができるとともに、優れた見栄えを呈することができる。
【００１８】
本発明の便座装置では、カバーは人体検知窓を簡易加工で形成可能になっていることが好ましい。購入者等が人体検知センサを選択する場合、人体検知窓を簡易加工で形成できれば、迅速にその選択に対応できる。このため、メーカとしては、注文に応じた迅速な生産、出荷を行なうことができ、ひいては製造コストの低廉化を実現できる。簡易加工で形成可能になっているとは、例えば人体検知窓を形成する部分に強度確保等のためのリブがない場合や、比較的簡易な工具により簡単に人体検知窓を形成できるように予め裏面に切り込みを入れたりしている場合等をいう。
【００１９】
本発明の便座装置では、センサユニットは、光信号を透過可能な透明板と、透明板の裏面に固定されたリモコン受光部と、透明板の裏面で選択によりリモコン受光部に隣接して固定される人体検知センサとを有している。こうであれば、リモコン受光部に接続されるハーネスと人体検知センサに接続されるハーネスとを一ヶ所に集めることができるため、配線が複雑にならないとともに、便座装置のメンテナンスを容易に行うことができる。
【００２０】
本発明の便座装置では、カバーは、センサユニットを固定する主カバーと、主カバーと一体的に固定可能であり、リモコン窓が形成されているとともに、人体検知窓が形成可能な副カバーとからなる。こうであれば、副カバーに簡単に人体検知窓を形成できる。
【００２１】
【発明の実施の形態】
以下、本発明を具体化した実施形態を図面を参照しつつ説明する。
【００２２】
図１に示すように、実施形態の便座装置は、陶磁器製の洋風便器本体１０の背後に設けられており、カバー１１によって覆われている。こうして、洋風水洗式便器を構成している。カバー１１の内部には、洋風便器本体１０に種々の機能を付与可能な図示しない機能手段が備えられている。機能手段の一部は、リモコンＲによって遠隔操作が可能となっている。
【００２３】
カバー１１は、図２に示すように、機能手段のほとんどを隠蔽する主カバー１１ａと、その主カバー１１ａから取り外し可能に一体的に固定された副カバー１１ｂとからなる。副カバー１１ｂにおける主カバー１１ａとの合せ面にはリモコン窓１１ｃが形成されている。主カバー１１ａにはこのリモコン窓１１ｃと整合するセンサユニットＳＵが固定されている。
【００２４】
センサユニットＳＵは、図３及び図４に示すように、リモコン窓１１ｃから露出される下方側の凸部１２ｂと、副カバー１１ｂに隠蔽される上方側の凹部１２ａとをもつ透明板１２を有している。副カバー１１ｂの裏側には、透明板１２の凹部１２ａとの境界に延びる簡易加工としての切り込み１１ｄが形成されている。
【００２５】
透明板１２の凸部１２ｂの裏面には、図３に示すように、リモコンＲからの光信号を受信するリモコン受光部１３と、電源が入っているか否か等を表示するためのＬＥＤ１４とが固定されている。また、透明板１２の凹部１２ａの裏面には、洋風便器本体１０前に存在し得る人に向かって光信号を発信する人体検知発光部と、その人から反射する光信号を受信する人体検知受光部とからなる人体検知センサ１５が固定可能になっている。また、リモコン受光部１３、ＬＥＤ１４及び人体検知センサ１５には、図示しないハーネスが接続されている。
【００２６】
こうして、人体検知センサ１５を有しない場合は、透明板１２、リモコン受光部１３及びＬＥＤ１４によってセンサユニットＳＵが構成される。他方、人体検知センサを有する場合は、図４に示すように、透明板１２、リモコン受光部１３、ＬＥＤ１４及び人体検知センサ１５によってセンサユニットＳＵが構成される。
【００２７】
以上のように構成された実施形態の便座装置では、購入者等が人体検知センサ１５を選択しない場合、図３に示すように、透明板１２、リモコン受光部１３及びＬＥＤ１４によって構成されたセンサユニットＳＵが必要とされる。この際、メーカは副カバー１１ｂに何ら操作を加えることをしない。こうして、図３及び図５に示すように、透明板１２の凹部１２ａは副カバー１１ｂによって隠蔽されることとなる。また、この便座装置では、リモコン受光部１３に接続されるハーネスとＬＥＤ１４に接続されるハーネスとが一ヶ所に集められていることから、配線が複雑にならないとともに、メンテナンスを容易に行うことができる。
【００２８】
他方、購入者等が人体検知センサ１５を選択する場合、透明板１２、リモコン受光部１３、ＬＥＤ１４及び人体検知センサ１５によって構成されたセンサユニットＳＵが必要とされる。この際、メーカは、副カバー１１ｂの一部を切り込み１１ｄに沿って切り取り、リモコン窓１１ｃに隣接して人体検知窓１１ｅを簡単に形成する。こうして、図４及び図６に示すように、人体検知窓１１ｅから人体検知センサ１５が露呈され、購入者等の選択に迅速に対応することができる。また、この便座装置では、リモコン受光部１３に接続されるハーネスとＬＥＤ１４に接続されるハーネスと人体検知センサ１５に接続されるハーネスとが一ヶ所に集められていることから、配線が複雑にならないとともに、メンテナンスを容易に行うことができる。
【００２９】
こうして、この便座装置によれば、図５及び図６に示すように、使用者は、リモコン窓１１ｃと人体検知窓１１ｅとが隣接して形成されたカバー１１と、リモコン窓１１ｃだけが形成されたカバー１１との違いを把握できるため、人体検知センサ１２ａの有無を容易に判断することができる。このため、使用者が人体検知センサ１５が有るか否かの勘違いを起こすことを防止できる。
【００３０】
また、この便座装置では、人体検知センサ１５が有る場合のカバー１１と人体検知センサ１５が無い場合のカバー１１とは共通化された同じものであり、図６に示すように、購入者等が人体検知センサ１５を選択する場合にだけ、リモコン窓１１ｃに隣接して人体検知窓１１ｅを形成することとなる。このため、２種類のカバーを用意する必要がなく、部品点数を増加させることがない。このため、製造コストの低減を維持することができる。
【００３１】
さらに、購入者等が人体検知センサ１５を選択する場合、カバー１１にはリモコン窓１１ｃ及び人体検知窓１１ｅから成る大きな窓が形成され、購入者等が人体検知センサ１５を選択しない場合、カバー１１にはリモコン窓１１ｃからなる小さな窓が形成される。このため、購入者等が人体検知センサ１５を選択するか否かに応じて、必要最小限の窓だけがカバー１１に形成されることとなるため、便座装置は優れた見栄えを呈することとなる。
【００３２】
したがって、この便座装置では、製造コストの高騰化を生じることなく使用者の勘違いを防止することができるとともに、優れた見栄えを呈することができる。
【図面の簡単な説明】
【図１】実施形態の洋風水洗式便器の全体斜視図である。
【図２】実施形態の便座装置の一部分解斜視図である。
【図３】実施形態の人体検知センサを有しない便座装置の断面図である。
【図４】実施形態の人体検知センサを有する便座装置の断面図である。
【図５】実施形態の人体検知センサを有しない便座装置の一部斜視図である。
【図６】実施形態の人体検知センサを有する便座装置の一部斜視図である。
【図７】従来の洋風水洗式便器の全体斜視図である。
【図８】従来の便座装置の一部斜視図である。
【図９】従来の便座装置の断面図である。
【符号の説明】
１０…洋風便器本体
１１…カバー（１１ａ…主カバー、１１ｂ…副カバー）
Ｒ…リモコン
１３…リモコン受光部
ＳＵ…センサユニット
１１ｃ…リモコン窓
１５…人体検知センサ
１１ｅ…人体検知窓
１１ｄ…切り込み
１２…透明板
【図１】
0003861993.tif 000002
【図２】
0003861993.tif 000003
【図３】
0003861993.tif 000004
【図４】
0003861993.tif 000005
【図５】
0003861993.tif 000006
【図６】
0003861993.tif 000007
【図７】
0003861993.tif 000008
【図８】
0003861993.tif 000009
【図９】
0003861993.tif 000010